(57)【要約】      （修正有）【課題】開口の角が丸みを帯びないブラックマトリクスを提供する。【解決手段】液晶表示装置は、第１基板１０と、複数の画素領域１４を区画するように第１基板１０に形成された区画層１２と、複数の画素領域１４でカラーフィルタを構成する複数色の着色層と、第１基板１０に対向する第２基板と、第１基板１０と該第２基板の間に配置された液晶材料と、を有する。区画層１２は、遮光性樹脂からなる縦方向に延びる縦遮光部１８と、遮光性樹脂からなる横方向に延びる横遮光部１６と、２色以上の該着色層が重なって構成された減光部２８と、を有する。縦遮光部１８と横遮光部１６は、スペース２０をあけて配置されている。減光部２８は、縦遮光部１８と横遮光部１６の間のスペース２０を埋めている。【選択図】図２
2014174448.tif 000002
【特許請求の範囲】
【請求項１】
第１基板と、
複数の画素領域を区画するように前記第１基板に形成された区画層と、
前記複数の画素領域でカラーフィルタを構成する複数色の着色層と、
前記第１基板に対向する第２基板と、
前記第１基板と前記第２基板の間に配置された液晶材料と、
を有し、
前記区画層は、遮光性樹脂からなる縦方向に延びる縦遮光部と、前記遮光性樹脂からなる横方向に延びる横遮光部と、２色以上の前記着色層が重なって構成された減光部と、を有し、
前記縦遮光部と前記横遮光部は、スペースをあけて配置され、
前記減光部は、前記縦遮光部と前記横遮光部の間の前記スペースを埋めていることを特徴とする液晶表示装置。
【請求項２】
請求項１に記載された液晶表示装置において、
前記縦遮光部及び前記横遮光部の少なくとも一方は、他方との接触を避けて前記スペースを形成するように、途切れていることを特徴とする液晶表示装置。
【請求項３】
請求項２に記載された液晶表示装置において、
前記縦遮光部及び前記横遮光部は、延びる方向に直交する幅が異なっており、
前記縦遮光部及び前記横遮光部のうち幅の小さい方が途切れていることを特徴とする液晶表示装置。
【請求項４】
請求項１から３のいずれか１項に記載された液晶表示装置において、
前記減光部は、色の異なる隣同士の前記画素領域に配置された２つの前記着色層から構成されていることを特徴とする液晶表示装置。
【請求項５】
請求項１から４のいずれか１項に記載された液晶表示装置において、
それぞれの前記着色層は、前記縦遮光部及び前記横遮光部に重なるように配置されていることを特徴とする液晶表示装置。
【請求項６】
請求項５に記載された液晶表示装置において、
色の異なる隣同士の前記画素領域に配置された２つの前記着色層は、前記縦遮光部及び前記横遮光部の上では重複しないように隣接していることを特徴とする液晶表示装置。
【発明の詳細な説明】
【技術分野】
【０００１】
本発明は、液晶表示装置に関する。
【背景技術】
【０００２】
液晶表示パネルのカラーフィルタ基板に、樹脂からブラックマトリクスを形成することが知られている（特許文献１）。樹脂はフォトレジストであり、フォトリソグラフィによってフォトレジストをパターニングする。ブラックマトリクスは、本来、開口に角を有するように設計されている。
【先行技術文献】
【特許文献】
【０００３】
【特許文献１】特開平９−１５４０３号公報
【発明の概要】
【発明が解決しようとする課題】
【０００４】
フォトリソグラフィの工程で、フォトマスクはほぼ設計通りの形状になっているので、露光工程では開口に角を有する形状で露光を行うことができるが、現像工程では現像液が角に入り込みにくいため、開口が丸みを帯びて小さくなってしまう。その結果、光透過率が低下するという問題がった。
【０００５】
本発明は、開口の角が丸みを帯びないブラックマトリクスを提供することを目的とする。
【課題を解決するための手段】
【０００６】
（１）本発明に係る液晶表示装置は、第１基板と、複数の画素領域を区画するように前記第１基板に形成された区画層と、前記複数の画素領域でカラーフィルタを構成する複数色の着色層と、前記第１基板に対向する第２基板と、前記第１基板と前記第２基板の間に配置された液晶材料と、を有し、前記区画層は、遮光性樹脂からなる縦方向に延びる縦遮光部と、前記遮光性樹脂からなる横方向に延びる横遮光部と、２色以上の前記着色層が重なって構成された減光部と、を有し、前記縦遮光部と前記横遮光部は、スペースをあけて配置され、前記減光部は、前記縦遮光部と前記横遮光部の間の前記スペースを埋めていることを特徴とする。本発明によれば、縦遮光部と横遮光部がスペースをあけて配置されるので、区画層は、フォトリソグラフィによって形成しても角が形成されず、開口が丸くならない。また、減光部が縦遮光部と横遮光部の間のスペースを埋めているので、区画層はブラックマトリクスとして遜色のない特性を有している。
【０００７】
（２）（１）に記載された液晶表示装置において、前記縦遮光部及び前記横遮光部の少なくとも一方は、他方との接触を避けて前記スペースを形成するように、途切れていることを特徴としてもよい。
【０００８】
（３）（２）に記載された液晶表示装置において、前記縦遮光部及び前記横遮光部は、延びる方向に直交する幅が異なっており、前記縦遮光部及び前記横遮光部のうち幅の小さい方が途切れていることを特徴としてもよい。
【０００９】
（４）（１）から（３）のいずれか１項に記載された液晶表示装置において、前記減光部は、色の異なる隣同士の前記画素領域に配置された２つの前記着色層から構成されていることを特徴としてもよい。
【００１０】
（５）（１）から（４）のいずれか１項に記載された液晶表示装置において、それぞれの前記着色層は、前記縦遮光部及び前記横遮光部に重なるように配置されていることを特徴としてもよい。
【００１１】
（６）（５）に記載された液晶表示装置において、色の異なる隣同士の前記画素領域に配置された２つの前記着色層は、前記縦遮光部及び前記横遮光部の上では重複しないように隣接していることを特徴としてもよい。
【図面の簡単な説明】
【００１２】
【図１】本発明の実施形態に係る液晶表示装置を示す断面図である。
【図２】区画層を有する第１基板の平面図である。
【図３】図２に示す第１基板のIII−III線断面図である。
【図４】図２に示す第１基板のIV−IV線断面図である。
【図５】図２に示す第１基板のＶ−Ｖ線断面図である。
【図６】本発明の実施形態に係る液晶表示装置の製造方法を説明する図である。
【図７】本発明の実施形態に係る液晶表示装置の製造方法を説明する図である。
【図８】本発明の実施形態に係る液晶表示装置の製造方法を説明する図である。
【図９】本発明の実施形態に係る液晶表示装置の製造方法を説明する図である。
【図１０】本発明の実施形態に係る液晶表示装置の変形例を説明する図である。
【発明を実施するための形態】
【００１３】
以下、本発明の実施形態について、図面を参照して説明する。
【００１４】
図１は、本発明の実施形態に係る液晶表示装置を示す断面図である。液晶表示装置は、例えばガラス基板などの光透過性基板である第１基板１０を有する。第１基板１０には区画層１２が形成されている。区画層１２は、ブラックマトリクスの機能を果たす。
【００１５】
図２は、区画層１２を有する第１基板１０の平面図である。区画層１２は、複数の画素領域１４を区画する。１つの画素領域１４は、１色のサブピクセルにされる領域であり、隣同士の複数色のサブピクセルからフルカラーの画素が構成される。
【００１６】
区画層１２は、横方向（図２の左右方向）に延びる横遮光部１６を有する。複数の横遮光部１６が間隔をあけて縦方向（図２の上下方向）に配列されている。縦方向と横方向とは、交差する方向であれば直交方向に限らない。横遮光部１６が延びる方向に描くラインは、直線であっても曲線であってもよく、屈曲していてもよい。横遮光部１６は、遮光性樹脂からなる。
【００１７】
区画層１２は、縦方向（図２の上下方向）に延びる縦遮光部１８を有する。複数の縦遮光部１８が間隔をあけて横方向（図２の左右方向）に配列されている。縦遮光部１８は、それが延びる方向に途切れて形成されている。縦遮光部１８が延びる方向に描くラインは、直線であっても曲線であってもよく、屈曲していてもよい。縦遮光部１８は、遮光性樹脂からなる。
【００１８】
縦遮光部１８及び横遮光部１６は、幅（それぞれが延びる方向に直交する幅）が異なっている。縦遮光部１８の幅が、横遮光部１６の幅よりも小さい。横遮光部１６と縦遮光部１８とは、交差しないように、スペース２０をあけて配置されている。詳しくは、縦遮光部１８の途切れることで形成された隙間を、横遮光部１６が通るようになっている。縦遮光部１８及び横遮光部１６は、相互に接触を避けるようになっている。
【００１９】
図１に示すように、液晶表示装置は、複数色の着色層２２，２４，２６を有する。複数色の着色層２２，２４，２６は、図２に示す複数の画素領域１４でカラーフィルタを構成する。それぞれの画素領域１４にいずれかが配置されるように、複数色の着色層２２，２４，２６が第１基板１０に形成されている。複数色は、赤（Ｒ）、緑（Ｇ）及び青（Ｂ）である。緑（Ｇ）の着色層が最も光の透過率が高く、視認性も高い。青（Ｂ）の着色層が最も光透過率が低く、視認性も低い。
【００２０】
図３、図４及び図５は、それぞれ、図２に示す第１基板１０のIII−III線断面図、IV−IV線断面図及びＶ−Ｖ線断面図である。図３及び図５に示すように、着色層２２，２４，２６のそれぞれは、縦遮光部１８及び横遮光部１６に重なるように配置されている。ただし、色の異なる隣同士の画素領域１４に配置された２つの着色層２２及び２４、２２及び２６又は２４及び２６は、縦遮光部１８及び横遮光部１６の上では重複しないように隣接している。
【００２１】
図２及び図４に示すように、区画層１２は、２色以上の着色層２２，２４，２６が重なって構成された減光部２８を有する。減光部２８は、図２に示すように、縦遮光部１８と横遮光部１６の間のスペース２０を埋めている。減光部２８は、色の異なる隣同士の画素領域１４に配置された２つの着色層２２及び２４，２２及び２６，２４及び２６から構成されている。
【００２２】
本実施形態によれば、縦遮光部１８と横遮光部１６がスペース２０をあけて配置されるので、区画層１２は、フォトリソグラフィによって形成しても角が形成されず、開口が丸くならない。また、減光部２８が縦遮光部１８と横遮光部１６の間のスペース２０を埋めているので、区画層１２はブラックマトリクスとして遜色のない特性を有している。
【００２３】
図１に示すように、着色層２２，２４，２６を覆うように、オーバーコート層３０を介して、第１配向膜３２が形成されている。第１基板１０に対向して、例えばガラス基板などの光透過性基板である第２基板３４が配置されている。第２基板３４の第１基板１０との対向面に第２配向膜３６が形成されている。図示しないスペーサによって、第１配向膜３２及び第２配向膜３６の間にセルギャップが形成され、第１基板１０と第２基板３４の間に液晶材料３８が配置されている。詳しくは、第１配向膜３２と第２配向膜３６の間に液晶材料３８が配置される。
【００２４】
図６〜図９は、本発明の実施形態に係る液晶表示装置の製造方法を説明する図である。本実施形態では、図６に示すように、区画層１２のうち、減光部２８が無くて、横遮光部１６及び縦遮光部１８が形成された第１基板１０を用意する。横遮光部１６及び縦遮光部１８は、遮光性樹脂であるフォトレジストを、フォトリソグラフィによってパターニングして形成する。横遮光部１６及び縦遮光部１８はスペース２０をあけて配置されているので、角部が形成されず、露光後に行う現像で現像液が入り難いということがない。したがって、露光マスクの形状に対応して精密な形状に横遮光部１６及び縦遮光部１８を形成することができる。
【００２５】
次に、複数色の着色層２２，２４，２６を形成する。着色層２２，２４，２６の形成にもフォトリソグラフィを適用することができる。その場合、着色層２２，２４，２６もフォトレジストから形成する。
【００２６】
図７に示すように、第１色目の着色層２２を形成する。着色層２２は、縦方向に延びるように配置する。詳しくは、着色層２２は、横方向に隣同士の縦遮光部１８の間に配置される。着色層２２は、ストライプ状をなす本体部４０を有する。本体部４０は、その長さ方向に延びる両端がそれぞれ隣同士の縦遮光部１８の端部に載るように形成する。着色層２２は、本体部４０の両端から相互に反対方向に突出する凸部４２を有する。凸部４２は、減光部２８を形成するためのスペース２０（図６）、つまり、横遮光部１６及び縦遮光部１８の一方が途切れることで両者間に形成されるスペース２０に配置する。
【００２７】
図８に示すように、第２色目の着色層２４を形成する。第２色目の着色層２４の詳細は、上述した第１色目の着色層２２と同じであり、第１色目の着色層２２の隣に形成する。第２色目の着色層２４も、凸部４４を有する。凸部４４は、減光部２８を形成するためのスペース２０（図６）、つまり、横遮光部１６及び縦遮光部１８の一方が途切れることで両者間に形成されるスペース２０に配置する。したがって、第１色目の着色層２２の凸部４２と、第２色目の着色層２４の凸部４４が重なって減光部２８（図４）が形成される。
【００２８】
図９に示すように、第３色目の着色層２６を形成する。第３色目の着色層２６の詳細は、上述した第１色目の着色層２２と同じであり、第１色目及び第２色目の着色層２２，２４の間に形成する。第３色目の着色層２６も、凸部４６を有する。凸部４６は、減光部２８を形成するためのスペース２０（図６）、つまり、横遮光部１６及び縦遮光部１８の一方が途切れることで両者間に形成されるスペース２０に配置する。したがって、第１色目の着色層２２の凸部４２（図７）と第３色目の着色層２６の凸部４６（図９）が重なって減光部２８（図４）が形成され、第２色目の着色層２４の凸部４４（図８）と第３色目の着色層２６の凸部４６（図９）が重なって減光部２８（図４）が形成される。
【００２９】
以上のプロセスによって、ブラックマトリクスの機能を果たす区画層１２及び着色層２２，２４，２６を形成する。さらに、液晶表示装置の製造方法は、上述した液晶表示装置の説明から自明な内容を含む。
【００３０】
［変形例］
図１０は、本発明の実施形態に係る液晶表示装置の変形例を説明する図である。本変形例では、区画層１１２の形状が上記実施形態とは異なる。すなわち、画素領域１１４が、横方向の一方の側に凸部１５２を有し、他方の側に凹部１５４を有する形状である。言い換えると、区画層１１２の縦遮光部１１８は、隣同士の横遮光部１１６の間で屈曲している。区画層１１２がこのような形状になっているのは、視野角を拡大するためのマルチドメイン方式が適用されているからである。マルチドメイン方式では、１つの画素領域１１４内に液晶分子の配向状態が異なる２つ以上の領域が存在する。
【００３１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３２】
１０  第１基板、１２  区画層、１４  画素領域、１６  横遮光部、１８  縦遮光部、２０  スペース、２２  着色層、２４  着色層、２６  着色層、２８  減光部、３０  オーバーコート層、３２  第１配向膜、３４  第２基板、３６  第２配向膜、３８  液晶材料、４０  本体部、４２  凸部、４４  凸部、４６  凸部、１１２  区画層、１１４  画素領域、１１６  横遮光部、１１８  縦遮光部、１５２  凸部、１５４  凹部。
【図１】
2014174448.tif 000003
【図２】
2014174448.tif 000004
【図３】
2014174448.tif 000005
【図４】
2014174448.tif 000006
【図５】
2014174448.tif 000007
【図６】
2014174448.tif 000008
【図７】
2014174448.tif 000009
【図８】
2014174448.tif 000010
【図９】
2014174448.tif 000011
【図１０】
2014174448.tif 000012